(57)【要約】      （修正有）【課題】商品として販売する弁当用の容器であって、薄い木片を材料とし、該木片を折り曲げた場合に割れにくく、また印刷の品質、色彩の鮮明度を容易に制御でき、同時に商品としての弁当を陳列した場合に、弁当の内容物を展示できる弁当用の容器を提供する。【解決手段】食品を収納する空間を具える箱体１０と、木片２２を基本材料とし、表面にフィルム層２３を設け、かつ収納した食品を展示するための覗き窓２１を形成した蓋体２０とによって弁当用の容器を構成する。【選択図】図１
0003133104.tif 000002
【実用新案登録請求の範囲】
【請求項１】
食品を収納する空間を具える箱体と、木片を基本材料とし、表面にフィルム層を設け、かつ収納した食品を展示するための覗き窓を形成した蓋体とを含むことを特徴とする弁当用の容器。
【請求項２】
前記フィルム層が透明のプラスチックフィルムであることを特徴とする請求項１に記載の弁当用の容器。
【請求項３】
前記フィルム層が半透明のプラスチックフィルムか、薄紙であることを特徴とする請求項１に記載の弁当用の容器。
【請求項４】
前記フィルム層が半透明のグラシン紙であることを特徴とする請求項１に記載の弁当用の容器。
【請求項５】
前記覗き窓に透明フィルムを設けることを特徴とする請求項１に記載の弁当用の容器。
【請求項６】
前記透明フィルムがメチルペンタン共重合体（ＴＰＸ）によるポリマー材であることを特徴とする請求項５に記載の弁当用の容器。
【請求項７】
前記フィルム層に広告用の文字が印刷されることを特徴とする請求項１に記載の弁当用の容器。
【請求項８】
前記フィルム層に図案が印刷されることを特徴とする請求項１に記載の弁当用の容器。
【請求項９】
前記フィルム層がＰＥ溶融フィルムを形成してなる紙材であることを特徴とする請求項１に記載の弁当用の容器。
【考案の詳細な説明】
【技術分野】
【０００１】
この考案は容器に関し、特に木質の材料によってなり、食品を収納して商品として販売するための弁当用の容器に関する。
【背景技術】
【０００２】
市場に流通する使い捨てタイプの弁当用の容器は、環境保全に影響を与える恐れを有する発泡スチロール材以外に、木質、プラスチック、紙質などの材料が用いられている。
【０００３】
但し、使い捨てタイプであるが故に、弁当用の容器は、質がよく、耐高熱特性を有するプラスチック材を用いることができない。係るプラスチック材を用いれば、製造コストが高くなり、商品の販売価格も高くなるため、必然と商業的価値を失うことになる。逆に、不肖な業者が製造コストの低減のみを考慮して回収された廃棄プラスチック材でランチボックスを製造した場合、多くの消費者の健康に危害を及ぼすことになる。
【０００４】
製造コストの問題について、コストダウンによって商品の市場における競争能力を高めようとすれば、弁当用の容器の材質の厚さが制限される。このため、商品を手に持つと、材質の腰がしっかりしていないといった感覚がして、低価格の商品という印象を消費者に与える。
【０００５】
高級な弁当用の容器は、美的感覚、手に持った感覚、大自然を感じさせる健康的なイメージを重視する。よって、必然と木質の材質が優先的に選択される。薄い木片は弁当用の容器の材料として最良ではあるが、但し繊維の方向に沿って容易に割れる。また、印刷を施すと、木片の表面に残留する木材の粉末、もしくは木片の乾燥の程度などによって、容易に影響を受け印刷の品質、色彩の鮮明度などの劣る場合がある。
【０００６】
また、スーパーマーケット、コンビニエンスストアなどの弁当を販売するコーナーなどでは、販売する弁当の内容を展示するために木質の材料によってなる弁当用の容器を用いる場合でも、プラスチック製の透明の蓋を被せて展示する場合が多い。この場合、木質の材料によってなる弁当用の容器を用いたとしても、係る容器に米飯及びその他食材を収納し、透明のプラスチック材による蓋を被せて展示する方式では、例え木質の材料による容器であっても、そのほとんどの部分は弁当の内容物である米飯、またはその他食材に覆われて見えなくなる。即ち、木質の感覚を視覚的に訴え、自然で健康なイメージを訴える効果が損なわれる。
【考案の開示】
【考案が解決しようとする課題】
【０００７】
この考案は、商品として販売する弁当用の容器であって、薄い木片を材料とし、該木片を折り曲げた場合に割れにくく、また印刷の品質、色彩の鮮明度を容易に制御でき、同時に商品としての弁当を陳列した場合に、弁当の内容物を展示できる弁当用の容器を提供することを課題とする。
【課題を解決するための手段】
【０００８】
そこで、本考案者は従来の技術に鑑み鋭意研究を重ねた結果、食品を収納する空間を具える箱体と、木片を基本材料とし、表面にフィルム層を設け、かつ収納した食品を展示するための覗き窓を形成した蓋体とを含んでなる弁当用の容器の構造と、その製造方法によって課題を解決できる点に着眼し、係る知見に基づき本考案を完成させた。
【０００９】
以下、この考案について具体的に説明する。
【００１０】
請求項１に記載する弁当用の容器は、食品を収納する空間を具える箱体と、木片を基本材料とし、表面にフィルム層を設け、かつ収納した食品を展示するための覗き窓を形成した蓋体とを含む。
【００１１】
請求項２に記載する弁当用の容器は、請求項１におけるフィルム層が透明のプラスチックフィルムである。
【００１２】
請求項３に記載する弁当用の容器は、請求項１におけるフィルム層が半透明のプラスチックフィルムか、薄紙である。
【００１３】
請求項４に記載する弁当用の容器は、請求項１におけるフィルム層が半透明のグラシン紙である。
【００１４】
請求項５に記載する弁当用の容器は、請求項１における覗き窓に透明フィルムを設ける。
【００１５】
請求項６に記載する弁当用の容器は、請求項５における透明フィルムがメチルペンタン共重合体（ＴＰＸ）によるポリマー材である。
【００１６】
請求項７に記載する弁当用の容器は、請求項１におけるフィルム層に広告用の文字が印刷される。
【００１７】
請求項８に記載する弁当用の容器は、請求項１におけるフィルム層に図案が印刷される。
【００１８】
請求項９に記載する弁当用の容器は、請求項１におけるフィルム層がＰＥ溶融フィルムを形成してなる紙材である。
【考案の効果】
【００１９】
本考案の弁当用の容器は、薄い木片を材料とするため、木質の感覚を視覚的に訴え、自然で健康なイメージを訴える効果が得られるとともに、材料の木片が割れにくく、かつ好ましい印刷の効果が得られ商品のイメージを高めることができるという利点がある。
【考案を実施するための最良の形態】
【００２０】
この考案は、商品として販売する弁当用の容器を提供するものであって、食品を収納する空間を具える箱体と、木片を基本材料とし、表面にフィルム層を設け、かつ収納した食品を展示するための覗き窓を形成した蓋体とを含む。
【００２１】
係る構成の弁当用の容器について、その構造と特徴を詳述するために具体的な実施例を挙げ、以下に説明する。
【実施例】
【００２２】
図１から図３に開示するように、この考案による弁当用の容器は、箱体１０と蓋体２０とを具える。箱体１０は、食品を収納する空間を有する容器である。蓋体２０は木片２２を基本材料とし、覗き窓２１を形成するとともに、木片２２の表面には印刷したフィルム層２３を設ける。
【００２３】
フィルム層２３は、木片２２の表面に貼着した場合に、木片２２の天延の質感を表示できるように、  透明か、または半透明のプラスチックフィルムか、薄紙を用いる。また、該プラスチックフィルム、もしくは薄紙には予め印刷を施すため、フィルム層２３に広告用の文字（２４ａ）、または図案（２４ｂ）が表示される。
【００２４】
フィルム層２３は、好ましくはグラシン紙のように、表面にＰＥ溶融フィルムを具える食品包装用紙を用いる。係る食品包装用紙の表面のＰＥを高圧で溶融し。木片２２の表面に付着させることによって、木片２２が繊維の走る方向に沿って割れることを防ぎ、同時に、木片２２の表面に着雪印刷することによって発生する種々の問題を解決することができる。
【００２５】
木片２２に形成された覗き窓２１には、透明フィルム２５を貼着する。透明フィルム２５は耐高熱特性を具え、透明度が高く、且つ水分、水蒸気に対して高い耐用性を有する食品用のプラスチック材を用いる。これには、例えばメチルペンタン共重合体（ＴＰＸ）によるポリマー材などが挙げられる。
【００２６】
従来の弁当用の容器で薄い木片を使用したものは既に存在するが、透明な覗き窓を具えたものはなかった。また、この考案の弁当用の容器は、従来のものに比して、弁当の内容を展示できるとともに、天延の木質の表面を現すことができる。さらには、材料の木片２２は印刷が容易であり、かつ割れにくいという効果を具える。
【００２７】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案請求の範囲に属するものとする。
【図面の簡単な説明】
【００２８】
【図１】この考案による弁当用の容器の分解図である。
【図２】この考案における箱体と蓋体を接触させた状態を示した説明図である。
【図３】この考案における箱体と蓋体を組み合わせた状態を示した説明図である。
【符号の説明】
【００２９】
１０      箱体
２０      蓋体
２１      覗き窓
２２      木片
２３      フィルム層
２４ａ    広告用の文字
２４ｂ    図案
２５      透明フィルム
【図１】
0003133104.tif 000003
【図２】
0003133104.tif 000004
【図３】
0003133104.tif 000005
【手続補正書】
【提出日】平成19年4月13日(2007.4.13)
【手続補正１】
【補正対象書類名】実用新案登録請求の範囲
【補正対象項目名】請求項９
【補正方法】変更
【補正の内容】
【請求項９】
前記フィルム層がポリエチレン（ＰＥ）溶融フィルムを形成してなる紙材であることを特徴とする請求項１に記載の弁当用の容器。